(57)【要約】      （修正有）【課題】歩行時の不安定性を促進させ腰部、大臀筋、中臀筋の筋活動量を向上させる。【解決手段】靴底を歩行時に進行方向に向けてピッチング揺動し、且つ、ローリング揺動するような構造にし、断面がほぼ半球状のバランスボール８を中足骨骨頭対応箇所に設け縦アーチを構造的に完全に支持し、足の疲労を軽減し、従来の靴に比べて接地面積が少ない欠陥を補償し安定性を与えるようにする。【選択図】図２
2013180193.tif 000002
【特許請求の範囲】
【請求項１】
アウトソール本体（２）及び中底（３）を主要構成部材として含む靴底（１）であって、
Ａ．前記アウトソール本体（２）の周縁部に周縁立上がり部（４）が立設されていて、前記アウトソール本体（２）と周縁立上がり部（４）が凹陥部（５）を形成していること、
Ｂ。前記アウトソール本体（２）より硬度が低い材料で長手方向断面がほぼ舟形のバランス支持部材（６）であって、前記バランス支持部材（６）のアーチ対応箇所であって且つ中足骨骨頭（７）に対応する箇所に断面がほぼ半球状のバランスボール（８）を中底（３）に向けて突設させたバランス支持部材（６）を前記アウトソール本体（２）と周縁立上がり部（４）が形成する凹陥部（５）内に嵌設させた靴底（１）において、
イ。前記アウトソール本体（２）の底面において、前記バランスボール（８）が突設されている第１〜第５中足骨骨頭（７）の対応箇所に支点（Ｐ）を設け、前記支点（Ｐ）と爪先の先端部を結んだ線が形成する角度（θ１）を１５〜２５とし、前記支点（Ｐ）と踵の後端部を結んだ線が形成する角度（θ２）を３〜１０とし、歩行時に進行方向に向けてピッチング揺動するようにし、且つ
ロ。前記アウトソール本体（２）の底面の横方向において、靴底の外側壁（１０）を、靴底の接地面（９）と外側壁（１０）が形成する角度（θ３）を７〜１５の範囲で立ち上げ、靴底の内側壁（１１）を、靴底の接地面（９）と内側壁（１１）が形成する角度（θ４）を５〜１５の範囲で立ち上げ、歩行時に進行方向に対向する方向にローリング揺動するようにしたことを特徴とする靴底（１）。
【請求項２】
前記中底（３）の前記バランスボール（８）の対応箇所に前記バランスボール（８）の半球面構造が貫通する透孔（１２）を設けた請求項１に記載した靴底（１）
【請求項３】
さらに、バランス支持部材（６）の踵対応箇所（１３）の裏面に、衝撃吸収部材（１４）をバランス支持部材（６）に接合一体化した請求項１又は２に記載した靴底。
【請求項４】
さらに、前記中底（３）の上面に、前記バランスボール（８）の相当箇所に前記バランスボール（８）の半球面構造が貫通する透孔（１５）を設けたインソール（１６）を重合させ、前記バランスボール（８）の半球面構造が、前記中底（３）に穿設した透孔（１２）及び前記インソール（１６）に穿設した透孔（１５）を貫通するようにした請求項１〜３のいずれか１項に記載した靴底。
【請求項５】
前記アウトソール本体（２）の硬度がＪＩＳ−Ｃ型硬度計で５５〜８５度の範囲で、前記バランス支持部材（６）の硬度がＪＩＳ−Ｃ型硬度計で２０〜５０度の範囲とした請求項１〜４のいずれか１項に記載した靴底。
【発明の詳細な説明】
【技術分野】
【０００１】  本発明は、靴底に関する。特に、本発明は、歩行時に進行方向に向けて縦揺れ、いわゆる「ピッチング」揺動し、且つ、進行方向に対向する方向に横揺れ、いわゆる「ローリング」揺動するような構造にすることにより腰部、大臀筋、中臀筋、下肢部の筋活動量を増大させ、ウオーキング、ジョギングはもとより通常の歩行時にも体力増強に資するようにした靴底に関する。本発明の靴底は、従来から、靴業界で「バランスシューズ」あるいは「マサイ靴」等と呼称されている靴の範疇に属する。【０００２】  本発明の靴底は、足全体を覆う胛皮を備えた、いわゆる「靴」、及び足全体を覆う胛皮を備えていない、いわゆる「サンダル」にも適用される。
【背景技術】
【０００３】  近年、高年齢化に伴い健康増進や、生活習慣病対策としてダイエットを目的として、日常生活のなかで、簡単に出来る運動として、ウオーキング或いはジョギングが推奨されている。ウオーキング或いはジョギングは、体調あるいは体力に応じて調整ができるので、年齢、性別、職業等に関係なく実施出来る点では理想的である。【０００４】  ところで、ウオーキング、ジョギング、及びランニングを心拍数の点からみると、当然個人差があり、感覚的な値であるが、ウオーキングは約１００〜１２０，ジョギングは約１２０〜１３０，ランニングは約１３０〜１５０と言われている。即ち、ウオーキングもジョギングも運動量としてはそれほど多くなく、従って、体への負担も小さい。また、ウオーキング及びジョギングにおいては、使用する筋肉はごく限られたものである。そこでウオーキング或いはジョギングにおいて、普段使用しない筋肉を敢えて使用することにより、運動量を大きくし、それにより、健康増進や、ダイエット効果を向上させることができれば、理想的である。従来、そのような効果があるとされる靴が幾つか提案されている。【０００５】  特許文献１は、「アクティブ・ローリング・ウオーキング用具」と称する靴を開示している。これは、靴底をミッドソール１０、アンダーソール１２及びソール底１３から構成し、アンダーソール１２を、終端のソール底１３に対向した側において、下方へ凸のアーチ状ないし円弧状の形状にし、その構造により、積極的にロール運動を与え、ロール時にトランポリン効果を奏功させるものである。その断面構造は、一見、ポックリ下駄、或いは、一本歯の高歯のような構造で、極めて不安定であり、習熟しない場合、危険でさえある。さらに、特許文献１に記載されている「アクティブ・ローリング・ウオーキング用具」は、ミッドソール１０の硬度等物性は均一で、中足骨該当個所及び踵に対応する箇所で硬度等物性を適正に変化させていないので、足裏に与える負荷が同じであり、長時間のウオーキングをした場合は、相当疲労が蓄積する。【０００６】  特許文献２は、「マサイウオーキング用専門履き物のミッドソール」を開示している。これは、ミッドソールに、前シャンクと後シャンクとを１個または複数個のスプリングで結合されたスプリングシャンクを埋め込んだものである。スプリングシャンクは、足形をしたシャンクを、前シャンクと後シャンクに２分割し、前シャンクの後端部（踵側）にスプリング輪を埋め込み、後シャンクの前端部（爪先側）にスプリング輪を埋め込んだものを予め製造し、それらを、金属製のスプリングをポリビニルクロリド樹脂、ポリウレタン樹脂及びポリエステル樹脂の中から選択された樹脂で被覆したものを、前記スプリング輪を介して、相互に連結した構造である。即ち、ミッドソールを２分割して、それらを複数個のスプリングで可動的に連結するという非常に複雑な構造なため、スプリングが前シャンクまたは後シャンクの一方から外れると、機能しなくなるという欠点がある。【０００７】  特許文献３は、「靴底及び該靴底を備えた靴」を開示している。これは、靴底の土踏まず支持部１１０と爪先支持部１２０と踵支持部１３０とをそれぞれ別個に形成し、爪先支持部１２０と踵支��部１３０とが土踏まず支持部１１０の下側に接着するという極めて煩雑で製造コストを引き上げる構造になっている。また、土踏まず支持部１１０は、その下面１１１が、前端部１１２から中央部１１３にかけては下り傾斜をなし（傾斜下面１１１ａ），中央部１１３から後端部１１４にかけては上り傾斜をなすようになっており（傾斜下面１１１ｂ）、中央部１１３周辺に肉厚部が形成されたものとなっている。中央部１１３の最下面１１１ｃは、略平坦に形成されている。このため、着用者の体重が、中央部１１３の最下面１１１ｃで支持されるようになっている（特許文献３の段落［００３３］）。この記載と図を参照すると、特許文献３が記載する「靴底及び該靴底を備えた靴」は、接地面積が非常に小さい中央部１１３の最下面１１１ｃで全体重を支持するようになっていて、あたかも「一本歯の高下駄」のような極めて不安定な構造で、幼児、妊婦、高齢者等には不向きである。
【先行技術文献】
【特許文献】
【０００８】
【特許文献１】特表２００３−５０８０９８号公報
【特許文献２】特開２００９−１４２６３７号公報
【特許文献３】特開２００９−１５３９９０号公報
【発明の概要】
【発明が解決しようとする課題】
【０００９】  発明が解決しようとする第１の課題は、靴底の長手方向及び幅方向の接地面積を従来のそれに比べて小さくし敢えて不安定な構造にすることにより、バランス感覚を必要とし、普段使用しない筋肉を使用することにより、運動量を大きくすることによりランニングに比べて運動量が少ない日常歩行、ウオーキング、或いはジョギングにおいても健康増進や、ダイエット効果を向上させることができる構造の靴底を提供することである。
本発明において、靴底の「長手方向」は、歩行時の進行方向または踵と爪先とを結んだ方向であり、「幅方向」は、歩行時の進行方向と対向する方向、前記長手方向と対向する方向、または横方向とそれぞれ同義である。【００１０】  発明が解決しようとする第２の課題は、靴底の長手方向の接地面積を従来のそれに比べて小さくして、進行方向へ向けてピッチング運動を与える構造にし、同時に靴底の横方向の接地面積を従来のそれに比べて小さくし敢えて不安定な構造にすることにより、横方向へ向けてローリング運動を与える構造にし、ピッチング運動とローリング運動との相乗効果により、歩行動作をスムーズにし、且つ、バランス感覚を養い、普段使用しない筋肉を敢えて使用することにより運動量を大きくし、ランニングに比べて運動量が少ない日常歩行、ウオーキング、或いはジョギングにおいても健康増進や、ダイエット効果を向上させることができる構造の靴底を提供することである。【００１１】  発明が解決しようとするその他の課題は、以下逐次明らかにされる。
【課題を解決するための手段】
【００１２】  本発明によると、上記課題は、次のようにして解決される。
１．アウトソール本体及び中底を主要構成部材として含む靴底であって、
Ａ．前記アウトソール本体の周縁部に周縁立上がり部が立設されていて、前記アウトソール本体と周縁立上がり部が凹陥部を形成していること、
Ｂ。前記アウトソール本体より硬度が低い材料で長手方向断面がほぼ舟形のバランス支持部材であって、前記バランス支持部材のアーチ対応箇所であって且つ中足骨骨頭に対応する箇所に断面がほぼ半球状のバランスボールを中底に向けて突設させたバランス支持部材を前記アウトソール本体と周縁立上がり部が形成する凹陥部内に嵌設させた靴底において、
イ。前記アウトソール本体の底面において、前記バランスボールが突設されている第１〜第５中足骨骨頭の対応箇所に支点を設け、前記支点と爪先の先端部を結んだ線が形成する角度を１５〜２５とし、前記支点と踵の後端部を結んだ線が形成する角度を３〜１０とし、歩行時に進行方向に向けてピッチング揺動するようにし、且つ
ロ。前記アウトソール本体の底面の横方向において、靴底の外側壁を、靴底の接地面と外側壁が形成する角度を７〜１５の範囲で立ち上げ、靴底の内側壁を、靴底の接地面と内側壁が形成する角度を５〜１５の範囲で立ち上げ、歩行時に進行方向に対向する方向にローリング揺動するようにしたことを特徴とする靴底。【００１３】２．前記１項において、中底の前記バランスボールの対応箇所に前記バランスボールの半球面構造が貫通する透孔を設ける。【００１４】３．前記１項又は２項において、バランス支持部材の踵対応箇所の裏面に、衝撃吸収部材をバランス支持部材に接合一体化する。【００１５】４．前記１〜３のいずれか１項において、前記中底の上面に、前記バランスボールの相当箇所に前記バランスボールの半球面構造が貫通する透孔を設けたインソールを重合させ、前記バランスボールの半球面構造が、前記中底に穿設した透孔及び前記インソールに穿設した透孔を貫通するようにする。【００１６】５．前記１〜４のいずれか１項において、前記アウトソール本体の硬度がＪＩＳ−Ｃ型硬度計で５５〜８５度の範囲で、前記バランス支持部材の硬度がＪＩＳ−Ｃ型硬度計で２０〜５０度の範囲とする。
【発明の効果】
【００１７】  請求項１に記載した発明によれば、アウトソール本体及び中底を主要構成部材として含む靴底であって、
Ａ．前記アウトソール本体の周縁部に周縁立上がり部が立設されていて、前記アウトソール本体と周縁立上がり部が凹陥部を形成していること、
Ｂ。前記アウトソール本体より硬度が低い材料で長手方向断面がほぼ舟形のバランス支持部材であって、前記バランス支持部材のアーチ対応箇所であって且つ中足骨骨頭に対応する箇所に断面がほぼ半球状のバランスボールを中底に向けて突設させたバランス支持部材を前記アウトソール本体と周縁立上がり部が形成する凹陥部内に嵌設させた靴底において、
イ。前記アウトソール本体の底面において、前記バランスボールが突設されている第１〜第５中足骨骨頭の対応箇所に支点（Ｐ）を設け、前記支点（Ｐ）と爪先の先端部を結んだ線が形成する角度（θ１）を１５〜２５とし、前記支点（Ｐ）と踵の後端部を結んだ線が形成する角度（θ２）を３〜１０とし、歩行時に進行方向に向けてピッチング揺動するようにし、且つ
ロ。前記アウトソール本体の底面の横方向において、靴底の外側壁を、靴底の接地面と外側壁が形成する角度（θ３）を７〜１５の範囲で立ち上げ、靴底の内側壁を、靴底の接地面と内側壁が形成する角度（θ４）を５〜１５の範囲で立ち上げ、歩行時に進行方向に対向する方向にローリング揺動するようにしたので下記に例示する効果を奏功する。【００１８】１．靴底の長手方向の接地面積を従来のそれに比べて小さくして、進行方向へ向けてピッチング運動を与える構造にし、同時に靴底の横方向の接地面積を従来のそれに比べて小さくし敢えて不安定な構造にすることにより、横方向へ向けてローリング運動を与える構造にし、ピッチング運動とローリング運動との相乗効果により、歩行動作をスムーズにし、且つ、バランス感覚を養い、普段使用しない筋肉を敢えて使用することにより運動量を大きくし、ランニングに比べて運動量が少ない日常歩行、ウオーキング、或いはジョギングにおいても健康増進や、ダイエット効果を向上させることができる。【００１９】２．アウトソール本体の硬度の約３０〜約６０％の硬度を有する材料で、長手方向断面がほぼ舟形のバランス支持部材を成形し、断面がほぼ半球状のバランスボールを前記バランス支持部材のアーチ対応箇所であって中足骨骨頭にバランス支持部材と一体に足底に向けて突設させたバランス支持部材を、アウトソール本体の爪先部後端部から踵対応箇所に向けて、アウトソール本体に填め込み、アウトソール本体と接合一体化したので、バランスボールが、体重による縦アーチの垂下を防止し、足が内側に傾く回内位が防止でき、体重移動を導くことにより動作進行をサポートすることができ、さらに、断面がほぼ半球状のバランス支持部材の球面構造が、アーチの曲面構造に適合するので、縦アーチを構造的に完全に支持し、足の疲労を軽減し、従来の靴に比べて接地面積が少ない欠陥を補償し安定性を与える。【００２０】  請求項２に記載した発明によれば、請求項１に記載した靴底に、さらに、中底のバランスボールの対応箇所にバランスボールの半球面構造が貫通する透孔を設けたので、使用時にバランス支持部材の半球面構造が直接アーチの曲面構造に適合するので、縦アーチを構造的に完全に支持し、足の疲労を軽減し、従来の靴に比べて接地面積が少ない欠陥を補償し安定性を与える。【００２１】  請求項３に記載した発明によれば、請求項１又は２に記載した靴底において、さらに、バランス支持部材の踵対応箇所の裏面に、衝撃吸収部材をバランス支持部材に接合一体化したので、歩行時、特に着地時に踵に負荷される衝撃を吸収し、長時間使用しても踵骨を構成する各種の骨に大きな障害を与えない。【００２２】  請求項４に記載した発明によれば、請求項１〜３のいずれか１項に記載した靴底において、さらに、前記中底の上面に、前記バランスボールの相当箇所に前記バランスボールの半球面構造が貫通する透孔を設けたインソールを重合させ、前記バランスボールの半球面構造が、前記中底に穿設した透孔及び前記インソールに穿設した透孔を貫通するようにしたので、前記請求項３による効果に加えて、（ｉ）疲労の軽減効果、（ｉｉ）歩行、走行運動中に筋肉や靱帯の疲労により低下するアーチをインソールが支持し、��肉、靱帯、関節等の負担を軽減する、（ｉｉｉ）インソールを不使用の場合、母趾球、小趾球、踵の三点で支持していた衝撃力を、インソールを介して足裏全体で支持するので、歩行、走行運動中地面から受ける衝撃を緩和する、（ｉｖ）ケガの予防等インソール本来の効果が奏功される。【００２３】  請求項５に記載した発明によれば、請求項１〜４のいずれか１項に記載した靴底において、アウトソール本体の硬度をＪＩＳ−Ｃ型硬度計で５５〜８５度の範囲とし、バランス支持部材の硬度をＪＩＳ−Ｃ型硬度計で２０〜５０度の範囲とし、バランス支持部材の硬度をアウトソール本体の硬度の約３０〜６０％と柔らかくしたので、バランス支持部材が全体で歩行時の体重をほぼ均一に分散させ疲労感のない歩行感覚を与え、他方、アウトソール本体の硬度をバランス支持部材の硬度の約１．７〜約３倍と大きくすることにより、歩行時地面から受ける衝撃を軽減し、足裏に対する負荷を小さくすることができる。
【図面の簡単な説明】
【００２４】
【図１】本発明の一実施例の分解斜視面図。
【図２】本発明の一実施例の構造を示す断面図。
【図３】図２において胛皮を除去した靴底を示す断面図。
【図４】図３のＩ−Ｉ線に沿った断面図。
【図５】図３のＩＩ−ＩＩ線に沿った断面図である。
【図６】本発明の靴底と足骨との位置関係を示す透視斜視図。
【発明を実施するための形態】
【００２５】  図１〜７を参照して実施例を述べる。本発明の１実施例による靴底１は、主として、アウトソール本体２、中底３，及びインソール１６から構成されている。アウトソール本体２は、天然或いは各種合成ゴム、エチレン−酢酸ビニル共重合体（ＥＶＡ）、ポリウレタン、或いはそれらの混合物等任意の材料から射出成形法或いは加流成形法により製造される。どのような材料を選択するかは、主として靴の用途、製造コスト等を勘案して決定される。
【００２６】  アウトソール本体２の周縁部には、周縁立上がり部４が立設されていて、前記アウトソール本体２と周縁立上がり部４が凹陥部５を形成している。さらに、前記アウトソール本体２と周縁立上がり部４が形成する凹陥部５内にはバランス支持部材６が嵌設されている。アウトソール本体２の硬度は、ＪＩＳ−Ｃ型硬度計で５５〜８５度の範囲で設定される。アウトソール本体２の硬度が５５度以下の場合、強度、耐久性、耐摩耗性等靴底としての本来の物性が保持されない。また、アウトソール本体２の硬度が８５度以上の場合、硬すぎて、やはり、靴底としての本来の物性が保持されない。バランス支持部材６は、前記アウトソール本体２より硬度が低い材料で成形されていて、長手方向断面がほぼ舟形をしている。バランス支持部材６には、アーチ対応箇所であって且つ中足骨骨頭７に対応する箇所に断面がほぼ半球状のバランスボール８が中底３に向けて突設されている。
【００２７】  図２及び３を参照するとアウトソール本体２の底面に支点（Ｐ）が形成されていることが理解される。支点（Ｐ）は、バランスボール８が突設されている第１〜第５中足骨骨頭７の対応箇所に配置されている。支点（Ｐ）と爪先の先端部を結んだ線が形成する角度（θ１）は１５〜２５の範囲であり、より好ましくは１８〜２２である。１５以下の場合、接地面積の増加、ピッチング運動の減少につながるので好ましくなく、逆に２５以上の場合、リスフラン関節等へ負担をかけるので好ましくない。前記支点（Ｐ）と踵の後端部を結んだ線が形成する角度（θ２）は３〜１０の範囲であり、より好ましくは４〜８である。３以下の場合、ピッチング運動の低下につながるので好ましくなく、逆に１０以上の場合、リスフラン関節等へ負担をかけるので好ましくない。このように、靴底の長手方向の接地面積を従来のそれに比べて小さくして、進行方向へ向けてピッチング運動を与える構造にし、敢えて不安定な構造にすることにより、進行方向へピッチング運動をするので、バランス感覚を養い、普段使用しない筋肉を敢えて使用することにより運動量を大きくし、ランニングに比べて運動量が少ない日常歩行、ウオーキング、或いはジョギングにおいても健康増進や、ダイエット効果を向上させることができる。
【００２７】  図４に示したとおり、アウトソール本体２の内側壁１１及び外側壁１１の両側壁は所定の角度（θ３，θ４）で立ち上げてある。靴底の接地面９と外側壁１０が形成する角度（θ３）は７〜１５の範囲であり、より好ましくは９〜１２である。７以下の場合、接地面積の増加、ローリング運動が難しくなるので好ましくなく、逆に１５以上の場合、オーバープロネーションの誘発、歩行時の安全性低下が起こるので好ましくない。靴底の接地面９と内側壁１１が形成する角度（θ４）は５〜１５の範囲であり、より好ましくは８〜１２である。５以下の場合、接地面積の増加、ローリング運動が難しくなるので好ましくなく、逆に１５以上の場合、歩行時の安全性低下が起こるので好ましくない。このように、靴底の内側壁１１及び外側壁１０を、所定の角度で立ち上げたので、歩行時に進行方向に対向する方向、即ち、横方向へ向けてローリング運動を与える構造にし、ピッチング運動とローリング運動との相乗効果により、歩行動作をスムーズにし、且つ、バランス感覚を養い、普段使用しない筋肉を敢えて使用することにより運動量を大きくし、ランニングに比べて運動量が少ない日常歩行、ウオーキング、或いはジョギングにおいても健康増進や、ダイエット効果を向上させることができる。
【００２８】  尚、図４及び５において、アウトソール本体２の内側壁１１は回内位防止部材として、外側壁１０は回外位防止部材としても機能する。回外位防止部材として機能する外側壁１０と回内位防止部材として機能する内側壁１１は、アウトソール本体２のほぼ中央の外周上端部から所定の高さでアウトソール２と一体に立設したもので、踵の外周上端部から立設した踵部立上がり部１７を介して連続している。回内位とは、足を後ろから見て内側に傾く状態を言い、回外位とは、足を後ろから見て外側に傾く状態を言う。これらの形態はそれぞれ逆の反応をする。即ち、回内位では足を真上からみて、外転、背屈、回外位では内転、底屈という状態になる。このような状態になると、踵骨だけではなく、踵骨と連結している各種の骨に悪影響を与える。
【００２９】  次に、図１〜４及び図７を参照してバランス支持部材６に関して説明する。アウトソール本体２に、アウトソール本体２より硬度が低い材料で、長手方向断面がほぼ舟形のバランス支持部材６が嵌挿されていて、アウトソール本体２と接合一体化されている。バランス支持部材６の硬度はＪＩＳ−Ｃ型硬度計で２０〜５０度の範囲が好ましい。バランス支持部材６の硬度がＪＩＳ−Ｃ型硬度計で２０以下及び５０度以上の場合、前述した所定の効果を奏功することができない。
【００３０】  さらに、バランス支持部材６のアーチ対応箇所に、断面がほぼ異形半球状のバランスボール８をバランス支持部材６と一体に足底に向けて突設させてある。本発明の一実施態様では、バランスボール８のバランス支持部材６の表面からの高さは約１５ｍｍ、直径は約６０ｍｍである。然しながら、これらの数値は、靴の用途、使用者の年齢、等各種の要因によって適切に変動されえるべきである。バランスボール８は、バランス支持部材６の硬度と同じに設定しさえすれば、バランス支持部材６と同じまたは異なる材料でバランス支持部材６と別体に製造して所定の箇所に接着しても、或いはバランス支持部材６と一体に成形してもよい。ただし、別体に製造して所定の箇所に接着した場合、長時間使用中に層間剥離等が発生する恐れがあるので、バランスボール８はバランス支持部材６と一体に成形した方が好ましい。
【００３１】  図７に示した通り、バランスボール８は、バランス支持部材６において中足骨骨頭７に対応した箇所へ突設する。バランスボール８は、アーチ周辺部を下から支持し、アーチが下垂するのを防止する機能を有する。従って、硬度の高いバランス支持部材６が、体重による縦アーチの垂下を防止し、足が内側に傾く回内位が防止でき、体重移動を導くことにより動作進行をサポートすることができ、さらに、断面がほぼ半球状のバランスボール８の球面構造が、アーチの曲面構造に適合するので、縦アーチを構造的に完全に支持し、足の疲労を軽減し、従来の靴に比べて接地面積が少ない欠陥を補償し安定性を与える。
【００３２】  さらに、バランス支持部材６の踵対応箇所１３の裏面に、衝撃吸収部材１４をバランス支持部材に接合一体化する。衝撃吸収部材１４は、特段に限定されるものではなく、市場から入手可能なものでよく、本発明で使用した衝撃吸収材は、材料名がＥＶＡは発泡体で、たとえば、富士高圧産業（株）製のもので、硬度３度、反撥弾性２．３％、衝撃力１１７５０Ｎ（衝撃力の厚さが２．６〜２．８ｍｍ）の物性を有するものである。このように、バランス支持部材３６踵対応箇所１３の裏面に、衝撃吸収部材１４をバランス支持部材６に接合一体化したので、歩行時、特に着地時に踵に負荷される衝撃を吸収し、長時間使用しても踵骨を構成する各種の骨に大きな障害を与えない。
【００３３】  さらに、図１に記載したように、中底３において、バランスボール８の対応箇所にバランスボール８の半球面構造が貫通する透孔１２を設けることが好ましい。中底３をこのような構造にすることにより、使用時にバランスボール８の半球面構造が直接足裏のアーチの曲面構造に適合するので、縦アーチを構造的に完全に支持し、足の疲労を軽減し、従来の靴に比べて接地面積が少ないことによる欠陥を補償し安定性を与える。
【００３４】  さらに、図１に示した通り、中底３の上面にインソール１６を重合させることが好ましい。本発明で使用するインソール１６は、バランスボール８の相当箇所にバランスボール８の半球面構造が貫通する透孔１５を設けたものが好ましい。このような構造のインソール１６を使用することにより、バランスボール８の半球面構造が、中底３に穿設した透孔１２及びインソール１６に穿設した透孔１５を貫通するので、（ｉ）疲労の軽減効果、（ｉｉ）歩行、走行運動中に筋肉や靱帯の疲労により低下するアーチをインソールが支持し、筋肉、靱帯、関節等の負担を軽減する、（ｉｉｉ）インソールを不使用の場合、母趾球、小趾球、踵の三点で支持していた衝撃力を、インソールを介して足裏全体で支持するので、歩行、走行運動中地面から受ける衝撃を緩和する、（ｉｖ）ケガの予防等インソール本来の効果が奏功される。
【符号の説明】
【００３５】１  靴底
２  アウトソール本体
３  中底
４  周縁立上がり部
５  凹陥部
６  バランス支持部材
７  第１〜第５中足骨骨頭
８  バランスボール
９  靴底の接地面
１０  靴底の外側壁
１１  靴底の内側壁
１２  透孔
１３  踵対応箇所
１４  衝撃吸収部材
１５  透孔
１６  インソール
１７  踵部立上がり部
１８  胛皮
Ｐ  支点
θ１  支点（Ｐ）と爪先の先端部を結んだ線が形成する角度
θ２  支点（Ｐ）と踵の後端部を結んだ線が形成する角度
θ３  靴底の接地面９と外側壁１０が形成する角度
θ４  靴底の接地面９と内側壁１１が形成する角度
【図１】
2013180193.tif 000003
【図２】
2013180193.tif 000004
【図３】
2013180193.tif 000005
【図４】
2013180193.tif 000006
【図５】
2013180193.tif 000007
【図６】
2013180193.tif 000008